(57)【要約】【課題】医療用端末と放射線画像読取装置とが別個の部屋において異なるオペレータによって操作されているような状況においても、記録媒体から生成される画像データと撮影に関する情報との対応関係に間違いが生じるおそれのない放射線画像撮影システムを提供する。【解決手段】このシステムは、放射線画像撮影装置を用いて行われる複数の撮影に関する情報を格納し、該複数の撮影に関する情報を送信する医療用端末と、複数の撮影に関する情報を受信した順序に従って、それぞれの撮影に関する情報を表示部に順次表示し、放射線画像が記録された記録媒体が挿入された際に、撮影に関する情報を確認するための確認画面を表示部に表示し、オペレータが撮影に関する情報を確認した後に、記録媒体に記録されている放射線画像を読み取って生成された画像データと撮影に関する情報とを対応付ける放射線画像読取装置とを具備する。【選択図】図１
2007319385.tif 000002
【特許請求の範囲】
【請求項１】
被検者に放射線を照射して撮影を行うことにより記録媒体に放射線画像を記録する放射線画像撮影装置を用いて行われる複数の撮影に関する情報を格納し、該複数の撮影に関する情報を送信する医療用端末と、
前記医療用端末から複数の撮影に関する情報を受信した順序に従って、それぞれの撮影に関する情報を表示部に順次表示し、放射線画像が記録された記録媒体が挿入された際に、撮影に関する情報を確認するための確認画面を前記表示部に表示し、オペレータが前記撮影に関する情報を確認した後に、前記記録媒体に記録されている放射線画像を読み取って生成された画像データと前記撮影に関する情報とを対応付ける放射線画像読取装置と、
を具備する放射線画像撮影システム。
【請求項２】
前記放射線画像読取装置が、撮影に関する情報として、患者ＩＤと患者氏名と撮影メニューとの内の少なくとも１つを表示部に表示する、請求項１記載の放射線画像撮影システム。
【請求項３】
前記放射線画像読取装置が、確認画面に表示されている撮影に関する情報が前記記録媒体に対応している旨をオペレータが回答したときに、前記記録媒体に記録されている放射線画像を読み取って、生成された画像データと前記撮影に関する情報とを対応付け、確認画面に表示されている撮影に関する情報が前記記録媒体に対応していない旨をオペレータが回答したときに、前記記録媒体を排出する、請求項１又は２記載の放射線画像撮影システム。
【発明の詳細な説明】
【技術分野】
【０００１】
本発明は、被検者に放射線を照射して撮影を行うことにより記録媒体に記録された放射線画像を読み取って画像データを生成し、その画像データに基づいて医療用診断画像を表示又は出力する放射線画像撮影システムに関する。
【背景技術】
【０００２】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、Ｘ線ＣＴや超音波、ＭＲＩ等の様々なディジタル化された装置が実用化されており、病院内での診断情報処理システム等の構築が進められようとしている。Ｘ線画像についてもディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、放射線画像撮影装置（ＣＲ装置）を用いて、輝尽性蛍光体を塗布したシートに人体等の被写体の放射線画像を撮影記録し、放射線画像読取装置を用いて、この輝尽性蛍光体シートをレーザ光等の励起光で走査する際に生じる輝尽発光光を光電的に読み取ることにより、画像データを得るものである。さらに、画像処理装置を用いて、この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。このようにして得られた画像データに対して、診断目的別に定められた条件に従って、規格化や周波数処理等の画像処理を施すことにより、様々な撮影条件の下でも良質な画像を提供することが可能である。さらに、直接、ディジタル化された画像データを得ているので、画質の劣化を招くことなく、大量の画像データを長期保存することが可能になるばかりか、医療診断情報システムへの発展等も可能になる。
【０００５】
また、画像データを診療データとして保存するために、患者情報や検査情報等の撮影に関する情報が、画像に付帯する画像付帯情報として設定される。一般的に、撮影に関する情報は、放射線画像撮影装置を制御するためのコンソールや撮影された画像の処理を行う画像処理装置等の医療用端末を用いて、撮影前に登録される。例えば、撮影に関する情報を画像データに対応付けるためにバーコードを用いる場合には、オペレータが、医療用端末に表示されるメニュー画面において、次に行うべき検査の撮影に関する情報を選択し、輝尽性蛍光体シートを格納するカセッテに付されたバーコードを画像処理装置のバーコードリーダに読み取らせることによって、撮影に関する情報とバーコード情報とが対応して登録される。
【０００６】
このカセッテが放射線画像撮影装置にセットされて、放射線撮影が行われる。さらに、放射線画像読取装置を用いて、輝尽性蛍光体シートに記録された放射線画像を読み取る際には、カセッテに付されたバーコードが放射線画像読取装置のバーコードリーダによって読み取られ、読み取られたバーコード情報が、生成された画像データと共に医療用端末に送信される。医療用端末において、放射線画像読取装置のバーコードリーダによって読み取られたバーコード情報と登録されているバーコード情報との一致検出を行うことにより、画像データと撮影に関する情報との対応付けが行われる。
【０００７】
しかしながら、放射線画像撮影システムの操作に習熟していないオペレータにとっては、このような操作は直感的でなく、扱い難い。従来のシステムにおいては、医療用端末において撮影メニューを予め選択していなかったり、バーコード情報の登録を行わずにカセッテを放射線画像読取装置にセットした場合には、エラーとなってしまうので、次にどのように対応して良いか分からなくなってしまうという問題があった。
【０００８】
関連する技術として、下記の特許文献１には、撮影経験が少なく習熟度の低いオペレータにとっても、比較的簡単に操作を行うことのできる放射線画像撮影システムが開示されている。この放射線画像撮影システムは、被検者に放射線を照射して撮影を行うことにより記録媒体に放射線画像を記録する放射線画像撮影装置を用いて行われる複数の撮影に関する情報を順次入力し、該複数の撮影に関する情報を入力された順序で格納し、該複数の撮影に関する情報を格納された順序で送信する医療用端末と、複数の撮影に関する情報を医療用端末から受信した順序に従って、各々の撮影に関する情報に対応して撮影が行われた記録媒体がセットされた際に、記録されている放射線画像を読み取って画像データを生成し、生成した画像データと該撮影に関する情報とを対応付けて医療用端末に送信する放射線画像読取装置とを具備する。
【０００９】
しかしながら、放射線画像読取装置と医療用端末とが別個の部屋において異なるオペレータによって操作されているような状況においては、放射線画像の読取りの対象となる検査が医療用端末のオペレータによって変更された場合に、放射線画像読取装置のオペレータがこれを認識せずに、間違った記録媒体を放射線画像読取装置にセットしてしまい、記録媒体から生成される画像データと撮影に関する情報との対応関係に間違いが生じるおそれがある。
【特許文献１】特開２００５−３４２１９５号公報（第１頁、図１）
【発明の開示】
【発明が解決しようとする課題】
【００１０】
そこで、上記の点に鑑み、本発明は、医療用端末と放射線画像読取装置とが別個の部屋において異なるオペレータによって操作されているような状況においても、記録媒体から生成される画像データと撮影に関する情報との対応関係に間違いが生じるおそれのない放射線画像撮影システムを提供することを目的とする。
【課題を解決するための手段】
【００１１】
上記課題を解決するため、本発明の１つの観点に係る放射線画像撮影システムは、被検者に放射線を照射して撮影を行うことにより記録媒体に放射線画像を記録する放射線画像撮影装置を用いて行われる複数の撮影に関する情報を格納し、該複数の撮影に関する情報を送信する医療用端末と、医療用端末から複数の撮影に関する情報を受信した順序に従って、それぞれの撮影に関する情報を表示部に順次表示し、放射線画像が記録された記録媒体が挿入された際に、撮影に関する情報を確認するための確認画面を表示部に表示し、オペレータが撮影に関する情報を確認した後に、記録媒体に記録されている放射線画像を読み取って生成された画像データと撮影に関する情報とを対応付ける放射線画像読取装置とを具備する。
【発明の効果】
【００１２】
本発明によれば、放射線画像読取装置が、放射線画像が記録された記録媒体が挿入された際に、撮影に関する情報を確認するための確認画面を表示部に表示し、オペレータに確認を求めるので、記録媒体から生成される画像データと撮影に関する情報との対応関係に間違いが生じるおそれがなくなる。
【発明を実施するための最良の形態】
【００１３】
以下、本発明を実施するための最良の形態について、図面を参照しながら詳しく説明する。なお、同一の構成要素には同一の参照番号を付して、説明を省略する。
図１は、本発明の一実施形態に係る放射線画像撮影システムの構成を示すブロック図である。図１に示すように、この放射線画像撮影システムは、被検者に放射線を照射して撮影を行うことにより輝尽性蛍光体シート（記録シート）１に放射線画像を記録する放射線画像撮影装置１０と、記録シート１に記録されている放射線画像等の情報を光電的に読み取って画像データを生成する放射線画像読取装置２０と、放射線画像撮影装置１０を用いて行われる複数の撮影に関する情報を格納する医療用端末３０とが、ネットワークＮ１に接続されて構成される。さらに、必要に応じて、データベースサーバ、ＩＤカードリーダ、又は、電子カルテ／レセプトコンピュータ等の外部装置５０が、ネットワークＮ１に接続される。
【００１４】
ここで、医療用端末３０としては、放射線画像撮影装置１０を制御するために用いられるコンソールや、放射線画像読取装置２０から画像データを入力して各種の処理を行い、画像を表示又は出力する画像処理装置や、患者情報や検査情報等を登録するために用いられる端末や、それらの機能を併せ持った装置を用いることができる。
【００１５】
放射線撮影に用いられる記録シート１は、輝尽性蛍光体物質を塗布したものであり、放射線が照射されることにより被写体の情報が記録される。記録シート１は、カセッテに格納されて使用される。
【００１６】
放射線画像撮影装置１０は、記録シート１を格納するカセッテの位置を上下に移動させることにより被検者における撮影位置を昇降させる撮影位置昇降機構１１と、被検者の足の位置を決める撮影台１２と、被検者に放射線を照射する放射線発生部１３と、設定された撮影条件に従って放射線発生部１３等を制御する撮影制御部１４とを含んでいる。設定された撮影条件の下で被検者の放射線撮影が行われ、その放射線画像が記録シート１に記録される。
【００１７】
撮影後、記録シート１を格納するカセッテは、放射線画像読取装置２０に挿入され、記録シート１がローディングされて所定の位置にセットされる。放射線画像読取装置２０において、レーザ光源２１から出射した光ビームは、光走査部２２を通って、所定の位置にセットされた記録シート１の表面を走査する。この走査によって光ビームが記録シート１に照射され、光ビームが照射された箇所から、蓄積記録された放射線画像情報に応じた光量の輝尽発光光が生じる。輝尽発光光は、フォトマルチプライヤ（光電子増倍管）２３によって光電的に検出され、アナログ信号として出力されて増幅器２４により増幅され、Ａ／Ｄ変換器２５によってディジタル化される。このようにして生成された画像データが、読取制御部２６及びネットワークＮ１を介して、医療用端末３０に入力される。
【００１８】
医療用端末３０は、各種の命令や撮影に関する情報等を入力するために用いられる入力部３１と、操作画面や放射線画像を表示する表示部３２と、放射線画像をフィルム等に印刷するプリンタ３３と、処理部４０とを含んでいる。撮影に関する情報としては、患者ＩＤや患者氏名等の患者情報と、検査ＩＤや撮影メニュー等の検査情報とが該当する。なお、撮影に関する情報は、外部装置５０からネットワークＮ１を介して医療用端末３０に入力するようにしても良い。処理部４０は、入力された複数の撮影に関する情報を格納し、少なくとも放射線画像読取装置２０に送信すると共に、放射線画像読取装置２０によって送信される画像データを受信して処理する。
【００１９】
本実施形態においては、医療用端末３０に格納された複数の撮影に関する情報が、放射線画像読取装置２０の読取制御部２６に送信され、読取制御部２６が、それらの撮影に関する情報を受信した順序に従って、それぞれの撮影に関する情報を表す情報画面を表示部２７に順次表示させる。情報画面には、例えば、患者ＩＤと患者氏名と撮影メニューとの内の１つ又は複数を表示するようにしても良い。これによって、撮影を行うべき検査がオペレータに提示され、オペレータは、放射線画像撮影装置１０を用いて放射線画像の撮影を行った後に、放射線画像が記録された記録シートを格納するカセッテを放射線画像読取装置２０に挿入する。このようにして、オペレータは、直感的な操作をすることができるようになる。
【００２０】
また、放射線画像読取装置２０と医療用端末３０とが別個の部屋において異なるオペレータによって操作されているような状況においては、放射線画像の読取りの対象となる検査が医療用端末３０のオペレータＡによって変更された場合に、放射線画像読取装置２０のオペレータＢがこれを認識せずに、間違ったカセッテを放射線画像読取装置２０に挿入してしまい、記録シート１から生成される画像データと撮影に関する情報との対応関係に間違いが生じるおそれがある。
【００２１】
そこで、オペレータＢが放射線画像読取装置２０にカセッテを挿入すると、読取制御部２６は、放射線画像の読取りの対象となる検査について、撮影に関する情報を確認するための確認画面を表示部２７に表示させる。オペレータＢが、表示部２７に表示された撮影に関する情報を確認した後に、読取制御部２６は、所定の位置にセットされている記録シート１に記録されている放射線画像を読み取って画像データを生成するように各部を制御し、生成された画像データと撮影に関する情報とを対応付けて医療用端末３０に送信する。このようにすれば、放射線画像の読取りの対象となる検査がオペレータＡによって変更されても、記録シート１から生成される画像データと撮影に関する情報との対応関係の間違いをなくすことができる。
【００２２】
図２は、図１に示す医療用端末の詳細な構成を示すブロック図である。医療用端末３０の処理部４０は、インタフェース４６を介して入力部３１及び表示部３２等に接続された中央演算装置（以下、ＣＰＵという）４１と、入力部３１を用いて又は外部装置５０（図１）から入力される撮影に関する情報や放射線画像読取装置２０から入力される画像データ等を一時的に格納するメモリ４２と、記録媒体としてのハードディスク４３と、ハードディスク４３を制御するハードディスク制御部４４と、ネットワークインタフェース４５とを含んでいる。これらの部分４１〜４５は、バスラインＢＬを介して相互に接続されている。
【００２３】
ＣＰＵ４１は、ネットワークインタフェース４５及びネットワークＮ１を介して、図１に示す放射線画像撮影装置１０及び放射線画像読取装置２０に接続されている。また、ハードディスク４３には、ＣＰＵ４１に動作を行わせるためのソフトウェア（プログラム）が記録されている。なお、記録媒体としては、内蔵のハードディスク４３の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００２４】
次に、ＣＰＵ４１とソフトウェア（プログラム）とによって構成される機能ブロック４１ａ〜４１ｅについて説明する。
入力情報登録部４１ａは、入力部３１を用いて又は外部装置５０（図１）から入力された撮影に関する情報を、入力された順序（登録順）を表す情報と共に、メモリ４２に格納して登録する。ここで、医療用端末３０のオペレータ（例えば、放射線撮影を依頼する医師）Ａは、緊急の撮影を優先させるために、登録順を随時変更することができる。
また、入力情報送信部４１ｂは、メモリ４２に格納されている複数の撮影に関する情報を、登録順に従って、放射線画像読取装置２０に送信する。
【００２５】
図１に示す放射線画像読取装置２０の読取制御部２６は、複数の撮影に関する情報を受信し、それらの撮影に関する情報の内の少なくとも一部（例えば、最先の２つの検査に関する患者ＩＤと患者氏名と撮影メニュー）を表す情報画面を表示部２７に表示させる。撮影担当のオペレータ（例えば、撮影技師）Ｂは、表示部２７に表示された情報画面に含まれている患者ＩＤと患者氏名と撮影メニューとに基づいて、放射線画像撮影装置１０にカセッテをセットして放射線画像の撮影を行う。
【００２６】
オペレータＢが、放射線画像撮影装置１０から取り外したカセッテを放射線画像読取装置２０に挿入すると、読取制御部２６は、放射線画像の読取りの対象となる検査について、撮影に関する情報を確認するための確認画面を表示部２７に表示させる。これによって、オペレータＢが撮影に関する情報を確認した後に、読取制御部２６が、記録シート１から画像情報を読み取って画像データを生成するようにレーザ光源２１〜Ａ／Ｄ変換器２５を制御し、生成された画像データと撮影に関する情報とを対応付けて医療用端末３０に送信する。
【００２７】
再び図２を参照すると、受信制御部４１ｃは、読取制御部２６から送信された画像データ及び撮影に関する情報を受信し、画像データと撮影に関する情報とを対応付けてメモリ４２に格納する。
【００２８】
画像処理部４１ｄは、メモリ４２に格納されている画像データに対し、設定されている規格化条件や周波数処理条件等、又は、撮影に関する情報に含まれている条件に基づいて、診断目的に応じた画像処理を施す。画像処理が施された画像データは、出力部４１ｅからインタフェース４６を介して表示部３２に出力されて、表示部３２において画像が表示され、その画像がオペレータＡによって確認される。また、画像処理が施された画像データは、オペレータＡの指示に従って、ハードディスク制御部４４を介してハードディスク４３に記録される。
【００２９】
なお、本実施形態においては、入力情報登録部４１ａ、入力情報送信部４１ｂ、受信制御部４１ｃ、画像処理部４１ｄ、及び、出力部４１ｅを、ＣＰＵとソフトウェアで構成したが、ディジタル回路やアナログ回路で構成しても良い。
【００３０】
次に、本実施形態に係る放射線画像撮影システムの動作例について、図１〜図５を参照しながら説明する。
図３は、図１に示す放射線画像撮影システムの動作例を示すフローチャートである。まず、ステップＳ１において、医療用端末３０のオペレータＡが、入力部３１を用いて、患者情報及び検査情報等を入力することにより、撮影に関する情報の登録操作を行う。次に、ステップＳ２において、入力情報登録部４１ａが、撮影に関する情報を、入力された順序（登録順）を表す情報と共に、メモリ４２に格納して登録する。ここで、オペレータＡは、緊急の撮影を優先させるために、登録順を随時変更することができる。
【００３１】
ステップＳ３において、入力情報送信部４１ｂが、メモリ４２に格納されている複数の撮影に関する情報を、登録順に放射線画像読取装置２０に送信する。ステップＳ４において、放射線画像読取装置２０の表示部２７が、受信された撮影に関する情報の内の少なくとも一部（例えば、最先の２つの検査に関する患者ＩＤと患者氏名と撮影メニュー）を表す情報画面を表示する。ステップＳ５において、撮影担当のオペレータＢが、情報画面に基づいて、放射線画像撮影装置１０を用いて放射線画像の撮影を行う。
【００３２】
図４は、放射線画像読取装置の表示部に表示される情報画面の例を示す図である。本実施形態においては、読取制御部２６によって受信された２種類の撮影に関する情報が、受信された順に表示される。図４に示す例においては、第１番目に受信した撮影に関する情報に含まれている患者識別番号「０１２３４５６７８９」、患者氏名「富士太郎」、撮影メニュー「胸部正面Ａ−＞Ｐ」と、第２番目に受信した撮影に関する情報に含まれている患者識別番号「０１２３４５６７８９」、患者氏名「富士太郎」、撮影メニュー「胸部側面」とが、作業の進行状況を表すコメントと共に表示されている。
【００３３】
ここで、第１番目に受信した撮影に関する情報については、放射線画像の読取りのためにオペレータの操作を促すコメント「カセッテ挿入」が表示され、第２番目に受信した撮影に関する情報については、次に放射線画像の読取りの対象となることを表すコメント「ＮＥＸＴ」が表示される。さらに、情報画面においては、挿入すべきカセッテを直感的に把握させるために、未だ記録シートの読取りが完了していない撮影に関する情報の内で、第１番目に受信した撮影に関する情報を太枠で囲んで強調している。
【００３４】
そこで、ステップＳ６において、オペレータＢが、表示部２７に表示されている情報画面に基づいて、患者「富士太郎」の撮影メニュー「胸部正面Ａ−＞Ｐ」に従って撮影された記録シートを格納するカセッテを放射線画像読取装置２０に挿入すると、ステップＳ７において、読取制御部２６は、図５に示すように、放射線画像の読取りの対象となる検査について撮影に関する情報を含む確認画面を表示部２７に表示させる。
【００３５】
ステップＳ８において、オペレータＢが、表示部２７に表示されている撮影に関する情報を確認する。例えば、図５に示す確認画面には、第１番目に受信した撮影に関する情報に含まれている患者識別番号「０１２３４５６７８９」、患者氏名「富士太郎」、撮影メニュー「胸部正面Ａ−＞Ｐ」の他に、表示されている撮影に関する情報が挿入カセッテに対応している旨を回答するための「ＹＥＳ」ボタンと、表示されている撮影に関する情報が挿入カセッテに対応していない旨を回答するための「ＮＯ」ボタンとが含まれている。
【００３６】
オペレータＢが「ＹＥＳ」ボタンをマウスによってクリックすると、処理がステップＳ９に移行する。一方、オペレータＢが、「ＮＯ」ボタンをマウスによってクリックすると、読取制御部２６は、挿入されているカセッテを排出するようにローディング機構を制御して、処理がステップＳ６に戻る。
【００３７】
ステップＳ９において、放射線画像読取装置２０が、カセッテに格納されている記録シートから画像情報を読み取って、画像データを生成する。ステップＳ１０において、放射線画像読取装置２０の読取制御部２６が、生成された画像データを、撮影に関する情報と共に、医療用端末３０に送信する。
【００３８】
ステップＳ１１において、医療用端末３０の受信制御部４１ｃが、放射線画像読取装置２０から送信された画像データと撮影に関する情報とを受信して、画像データと撮影に関する情報とを対応付けてメモリ４２に格納する。
【００３９】
ステップＳ１２において、画像処理部４１ｄが、メモリ４２に格納されている画像データに対して必要な画像処理を施す。ステップＳ１３において、画像処理が施された画像データに基づいて、放射線画像が表示部３２に表示され、オペレータＡによって確認される。
【００４０】
本実施形態によれば、カセッテに格納されている記録シートから放射線画像を読み取ることによって生成される画像データを、撮影に関する情報に登録順に対応付けることができるので、画像データに対応付ける撮影に関する情報の選択や、カセッテに付されるバーコードの読取りのような作業が不要となる。また、放射線画像読取装置にカセッテを挿入した後に、撮影に関する情報を確認するための確認画面が表示されるので、撮影経験が少なく習熟度の低いオペレータにとっても、カセッテと検査との対応関係を間違えるおそれがない。
【００４１】
なお、本実施形態においては、医療用端末３０が放射線画像読取装置２０に対して撮影に関する情報を送信するようにしているが、放射線画像読取装置２０が医療用端末３０に対して撮影に関する情報の取得のためにアクセスを開始するようにしても良い。
【００４２】
また、図４に示すように、表示部２７において撮影に関する情報の右側に表示されている矢印ボタンをクリックすることにより、記録シートから放射線画像を読み取ることによって生成された画像データに対応付ける撮影に関する情報を変更できるようにしても良い。その場合には、放射線画像読取装置２０が、生成された画像データを、変更された撮影に関する情報と共に医療用端末３０に送信する。また、放射線画像読取装置２０において、カセッテを挿し込んでセットするためのスタッカが複数設けられている場合には、スタッカ毎に、撮影に関する情報を表示するようにしても良い。
【産業上の利用可能性】
【００４３】
本発明は、被検者に放射線を照射して撮影を行うことにより記録媒体に記録された放射線画像を読み取って画像データを生成し、その画像データに基づいて医療用診断画像を表示又は出力する放射線画像撮影システムにおいて利用することが可能である。
【図面の簡単な説明】
【００４４】
【図１】本発明の一実施形態に係る放射線画像撮影システムの構成を示すブロック図である。
【図２】図１に示す医療用端末の詳細な構成を示すブロック図である。
【図３】図１に示す放射線画像撮影システムの動作例を示すフローチャートである。
【図４】放射線画像読取装置の表示部に表示される情報画面の例を示す図である。
【図５】放射線画像読取装置の表示部に表示される確認画面の例を示す図である。
【符号の説明】
【００４５】
１  輝尽性蛍光体シート（記録シート）
１０  放射線画像撮影装置
１１  撮影位置昇降機構
１２  撮影台
１３  放射線発生部
１４  撮影制御部
２０  放射線画像読取装置
２１  レーザ光源
２２  光走査部
２３  フォトマルチプライヤ（光電子増倍管）
２４  増幅器
２５  Ａ／Ｄ変換器
２６  読取制御部
２７  表示部
３０  医療用端末
３１  入力部
３２  表示部
３３  プリンタ
４０  処理部
４１  ＣＰＵ（中央演算装置）
４１ａ  入力情報登録部
４１ｂ  入力情報送信部
４１ｃ  受信制御部
４１ｄ  画像処理部
４１ｅ  出力部
４２  メモリ
４３  ハードディスク
４４  ハードディスク制御部
４５  ネットワークインタフェース
４６  インタフェース
５０  外部装置
【図１】
2007319385.tif 000003
【図２】
2007319385.tif 000004
【図３】
2007319385.tif 000005
【図４】
2007319385.tif 000006
【図５】
2007319385.tif 000007